(57)【要約】  ディスペンサは、空洞を有するハウジングを含む。コンテナは、空洞内に設けられ、内部に揮発性物質を含む。ディスペンサは、さらに抵抗性加熱ワイヤを含む。コンテナは、抵抗性加熱ワイヤの少なくとも一部と熱的に連通する。【選択図】図１９
2019509802.tif 000002
【特許請求の範囲】
【請求項１】
空洞を含むハウジングと、
前記空洞内に提供されるコンテナと、
抵抗性加熱ワイヤと、
を含み、
前記コンテナは、その中に揮発性物質を含み、
前記コンテナは、前記抵抗性加熱ワイヤの少なくとも一部と熱的に連通する、ディスペンサ。
【請求項２】
前記抵抗性加熱ワイヤは、前記コンテナと直接接触する部分を含む、請求項１に記載のディスペンサ。
【請求項３】
前記抵抗性加熱ワイヤは、熱伝導性基質によって覆われた少なくとも一部分を含む、請求項１に記載のディスペンサ。
【請求項４】
前記抵抗性加熱ワイヤは、熱伝導性基板によって完全に覆われた、請求項１に記載のディスペンサ。
【請求項５】
２つ以上の前記抵抗性加熱ワイヤは、前記コンテナと熱的に連通して設けられる、請求項１に記載のディスペンサ。
【請求項６】
２つ以上の前記抵抗性加熱ワイヤは、互いに実質的に平行な方向に配置される、請求項５に記載のディスペンサ。
【請求項７】
２つ以上の前記抵抗性加熱ワイヤは、熱伝導性基板によって少なくとも部分的に覆われた、請求項５に記載のディスペンサ。
【請求項８】
２つ以上の前記抵抗性ワイヤは、熱伝導性基板によって完全に覆われた、請求項５に記載のディスペンサ。
【請求項９】
前記抵抗性加熱ワイヤは、ＦｅＣｒＡＬ、ＦｅＣｒＡｌＹ、ＮｉＣｒ、ＮｉＣｒＦｅ、ＮｉＡｌ、ＮｉＦｅ、又はＣｕＮｉのうちの１つを含む、請求項１に記載のディスペンサ。
【請求項１０】
前記コンテナは、前記揮発性物質を保持するリザーバを含むカートリッジを含み、前記揮発性物質は、液体、増粘液、又はゲルのうちの１つとして提供される、請求項１に記載のディスペンサ。
【請求項１１】
前記カートリッジは、底壁及び少なくとも１つの側壁を含み、フランジは、前記側壁から延びて透過膜が前記リザーバを横切って延びる、請求項１０に記載のディスペンサ。
【請求項１２】
前記コンテナは、前記揮発性物質を保持するボトルである、請求項１に記載のディスペンサ。
【請求項１３】
前記ボトルから延びる吸い上げ芯を含む、請求項１２に記載のディスペンサ。
【請求項１４】
車両で電源と連通するための電気接点を含むハウジングと、
閉じた状態と少なくとも１つの開いた状態との間で移動可能な蓋と、
前記ハウジング内に提供される空洞と、
前記空洞内に提供される揮発性物質を保持するカートリッジと、
を含む、ディスペンサ。
【請求項１５】
前記蓋と前記ハウジングを接続するヒンジをさらに含む、請求項１４に記載のディスペンサ。
【請求項１６】
前記電気接点と電気的に連通するヒータをさらに含む、請求項１５に記載のディスペンサ。
【請求項１７】
前記カートリッジの底面は、ヒータと熱的に連通する、請求項１６に記載のディスペンサ。
【請求項１８】
前記ヒータは、前記蓋が閉じた状態にある場合にのみ動作可能な、請求項１７に記載のディスペンサ。
【請求項１９】
レセプタクルを有するハウジングと、
２つ以上の開口部を有する蓋と、
前記レセプタクル内にあるカートリッジと、
を含み、
前記蓋は、前記ハウジングと結合して、
前記カートリッジは、揮発性物質を保持するリザーバ、及びその間に延びる透過膜を有し、
ヘッドスペースは、前記蓋の底面と前記透過膜との間に画定された、ディスペンサ。
【請求項２０】
前記カートリッジの底壁は、ヒータと熱的に連通する、請求項１９に記載のディスペンサ。
【発明の詳細な説明】
【技術分野】
【０００１】
［関連出願の相互参照］
本出願は、２０１６年３月１日に出願された米国仮特許出願第６２／３０１，９９７号の利益を主張する２０１６年８月１１日付で出願された米国特許出願第１５／２３４，８３７号の優先権を主張する。
［連邦政府による資金提供を受けた研究開発の記載］
該当なし
［配列表の参照］
該当なし
【０００２】
本開示は、一般に交換可能な詰め替え具を有する揮発性物質ディスペンサに関し、より詳細には、熱源と組み合わせて使用される空気清浄機及び交換可能な詰め替え具に関する。
【背景技術】
【０００３】
種々の揮発性物質を放出するために使用するための多数のタイプのディスペンサが存在する。多くの人にとって特に重要なのは、車両又は個人の移動手段に揮発性物質を放出する能力である。例えば、多くの人は、自身の自動車内に空気清浄機、消臭剤、又は害虫除去を助けたり清掃を助けたりする他の揮発性物質を含むこともできる、個人揮発性放出装置を使用する。
【０００４】
自動車に使用される典型的な空気清浄機は、熱源と、熱源から熱を受容する詰め替え具又はカートリッジ（ｃａｒｔｒｉｄｇｅ）と、カートリッジから周囲雰囲気に発散される芳香性揮発性物質を排出する排出口と共に使用するように構成される。一部の空気清浄機は、多くの自動車内に設けられた１２Ｖ電源ソケットに接続されるように構成される
【０００５】
しかし、これらのタイプの空気清浄機は、いくつかの欠点が存在する。現在の空気清浄機は、調節可能な芳香を提供しない。さらに、典型的な装置及びこれらに使用されるカートリッジは、月日に応じて寿命及び芳香の強さが異なり、芳香が制御された周囲放出を提供しない。
【０００６】
従って、自動車が使用されていないときに、芳香の強さを制御し、制御された周囲放出を提供できる加熱空気清浄機の必要性が存在する。
【発明の概要】
【課題を解決するための手段】
【０００７】
本開示の一態様において、ディスペンサは、空洞を含むハウジングを備える。コンテナ（ｃｏｎｔａｉｎｅｒ）は、空洞内に設けられ、その中に揮発性物質を含む。ディスペンサは、抵抗性加熱ワイヤ（ｒｅｓｉｓｔｉｖｅ  ｈｅａｔｉｎｇ  ｗｉｒｅ）をさらに含む。コンテナは、抵抗性加熱ワイヤの少なくとも一部と熱的に連通している。
【０００８】
本開示の他の態様において、ディスペンサは、車両の電源と、閉じた状態と少なくとも１つの開いた状態との間で移動可能な蓋と、ハウジング内の空洞と、空洞内に揮発性物質を保持するカートリッジと連通するための電気接点を有するハウジングと、を含む。
【０００９】
本開示は、また他の態様において、ディスペンサは、レセプタクル（ｒｅｃｅｐｔａｃｌｅ）を有するハウジングと、２つ以上の開口部を有する蓋とを含み、蓋は、ハウジングと結合される。カートリッジは、レセプタクル内に設けられる。カートリッジは揮発性物質を保持するリザーバを有し、透過膜はリザーバを横切って延びる。ヘッドスペースは、蓋の底面と透過膜との間に画定される。
【図面の簡単な説明】
【００１０】
【図１】一実施形態によるディスペンサの左上等角図である。
【図２】図１のディスペンサの側面図である。
【図３Ａ】別に示した蓋及びベゼルを有してヒンジ要素が除去された、図１に示したものと同様のディスペンサの部分分解された右上等角図である。
【図３Ｂ】図３Ａのディスペンサの右上等角図である。
【図４】明細書に開示されたディスペンサと共に使用するためのカートリッジの右上等角図である。
【図５】明瞭化のために部分が除去された、図１のディスペンサの蓋及びカートリッジの線５−５に沿った部分側断面図である。
【図６Ａ】図５の蓋の内面の平面図である。
【図６Ｂ】蓋が取り外されて空洞内にカートリッジが設けられた、図１のディスペンサの平面図である。
【図７】二重リザーバカートリッジを備えた、図１のディスペンサと同様のディスペンサの別の実施形態の左上等角図である。
【図８】図７のカートリッジの左上等角図である。
【図９Ａ】閉位置にある図１のディスペンサの左上等角図である。
【図９Ｂ】第１の開位置にある図９Ａのディスペンサの左上等角図である。
【図１０Ａ】図９Ｂのディスペンサの側面図である。
【図１０Ｂ】第２の開位置にある図９Ａのディスペンサの側面図である。
【図１１】図１のディスペンサの正面図であり、スイッチ及びＵＳＢソケットをさらに示す。
【図１２】図１１のディスペンサの正面等角図である。
【図１３】いくつかのＬＥＤ及びヒンジ要素を示すために蓋が開けられた図１に示したものと同様のディスペンサの左上等角図である。
【図１４】本明細書の任意のディスペンサと共に使用するための電気アセンブリの平面図である。
【図１５】図１４の電気アセンブリの底面図である。
【図１６】カートリッジ及び選択的ディフレクタープレート（ｄｅｆｌｅｃｔｏｒ  ｐｌａｔｅ）と関連して示された電気アセンブリを有する本明細書に開示されたディスペンサの概略図である。
【図１７】別の実施形態による蓋を有するディスペンサの左上等角図である。
【図１８】図１７のディスペンサの側面図である。
【図１９】別に示した蓋を有する図１７に示したものと同様のディスペンサの部分分解された右上等角図である。
【図２０】別に示した蓋を有しカートリッジが除去された図１７に示したものと同様のディスペンサの部分分解された右上等角図である。
【図２０Ａ】別に示した蓋を有しカートリッジ及びヒータ素子（ｈｅａｔｅｒ  ｅｌｅｍｅｎｔ）が除去された図２０に示されたものと異なるディスペンサの部分分解された右上等角図である。
【図２１】図１７の線２１−２１に沿った図１７のディスペンサの等角断面図である。
【図２２】本明細書に開示されたディスペンサと共に使用するための別のカートリッジの右上等角図である。
【図２２Ａ】本明細書に開示されたディスペンサと共に使用するためのまた別のカートリッジの右上等角図である。
【図２２Ｂ】本明細書に開示されたディスペンサと共に使用するためのまた別のカートリッジの右上等角図である。
【図２３】明瞭化のためにカートリッジが除去され、蓋を開いた状態にした図１７のディスペンサの右上等角図である。
【図２４】明瞭化のためにカートリッジ及びヒータ素子が除去され、蓋を開いた状態にした図１７のディスペンサの平面図である。
【図２４Ａ】明瞭化のためにカートリッジ及びヒータ素子が除去され、蓋を開いた状態にした図２０Ａのディスペンサの平面図である。
【図２５】蓋を開いた状態にした図１７のディスペンサの側面図である。
【図２６】蓋を開いた状態にした図１７のディスペンサの正面図である。
【図２７】図１７のディスペンサの底面図である。
【図２８】本明細書に開示された任意のディスペンサと共に使用するための電気アセンブリの平面図である。
【図２９】図２８の電気アセンブリの底面図である。
【図３０】図２８の電気アセンブリの側面図である。
【図３１】ヒータ素子の一実施形態の概略図である。
【図３１Ａ】ヒータ素子の別の実施形態の概略図である。
【図３２】ヒータアセンブリの一実施形態の電気回路図（ｅｌｅｃｔｒｉｃａｌ  ｓｃｈｅｍａｔｉｃ）である。
【００１１】
本発明の他の態様及び利点は、以下の詳細な説明を考慮することによって明らかになり、類似の構造は同様の参照符号を付する。
【発明を実施するための形態】
【００１２】
図１〜図３Ｂを参照すると、ディスペンサ３０が示されている。ディスペンサ３０は、第１の部分３４、第２の部分３６、及び蓋４０を有するハウジング３２を含む。本説明の目的のために、ディスペンサ３０は、自動車などの車両内部に空気清浄用の揮発性物質を散布するために提供される。しかし、任意の揮発性物質が、ディスペンサ３０及び任意の別の実施形態を有する車両内部への放出のために使用されてもよい。さらに、ディスペンサ３０は、揮発性物質を放出することが望まれる個人移動機構又は固定構造物に使用され得ると考えられる。
【００１３】
図３Ａ及び図３Ｂに示すように、蓋４０は、蓋の軸線Ｌを中心に前方部４４から下方に角度付けされた後方部４２を有する輪郭付けされた表面を含む（図１，３Ａ及び３Ｂ参照）。軸線Ｌは、その最底部端４６から軸線Ｌ’（図６参照）を中心に測定された蓋４０全体の長さの約１／３に配置される。好ましい実施形態では、後方部４２の最底部端４６は、前方部４４の最上部端４８から約５度〜約８０度、より好ましくは約１０度〜約６０度、最も好ましくは１５度〜５０度の角度をなし、これは、好ましくは前方部４４の実質的に平坦な表面の一部である。特に図３Ａを参照すると、蓋４０の周縁部５０は、蓋ベゼル５４の内壁５２と同一面上に図示され、これは、明瞭化のために第１の部分３４から除去して示されている。図１は、蓋４０がベゼル５４の全範囲に延びることを除いて、ディスペンサ３０の同様の図を示す。しかし、任意の実施形態において、空間は周縁部５０と内壁５２との間に設けることができると考えられる。図１及び図３Ａは、蓋４０及びベゼル５４が一般に蓋４０と同様の方法で角度付けされたベゼル５４の前方部５６及び後方部５８のような様式に輪郭付けされることをさらに示している。図３Ａ及び図３Ｂを参照すると、蓋４０はまた、ヒンジ部材６０と共に設けられる。
【００１４】
図９Ａ〜１０Ｂを参照すると、蓋４０は、第１の閉じた状態（図９Ａ）から第２の開いた状態（図９Ａ〜１０Ｂ）に移行することが示されている。ユーザがヒンジ６０を中心にして蓋４０を操作し、それらを選択した開いた状態にすることによって得られる無限の数のユーザ調節可能な開位置を含み、多くの開位置がディスペンサ３０と共に使用され得ることが想定される。しかし、本実施形態では、ディスペンサ３０は、予め設定された閉位置、部分的に開いた位置、及び完全に開いた位置の間を移行するように、当業者に周知の従来の手段によって開位置の個別番号（ｄｉｓｃｒｅｔｅ  ｎｕｍｂｅｒ）と共に設けられる。
【００１５】
図９Ｂ及び図１０Ａを参照すると、蓋４０の部分的な開放又は第１の位置が示され、これは、蓋４０と第１の部分３４の本体６６及びその端部６８に隣接したベゼル５４との間に第１の間隔６４を提供する。ここで、図１０Ｂを参照すると、蓋４０は、第２の間隔７０を提供するように完全な開放又は第２の位分が示され、これは、第１の間隔６４よりも大きく、ディスペンサ３０内に設けられたカートリッジ７２などのコンテナにより容易にアクセスすることを可能にできる。３つ以上の予め設定された位置、例えば４つ、５つ、６つ又はそれ以上の位置が設けられてもよく、及び／又は蓋４０をハウジング３２から完全に着脱可能にできることも考慮される。
【００１６】
図９Ａ〜１０Ｂに示す実施形態では、ヒンジ６０は、第１の部分３４の本体６６内のベゼル５４の反対側の端部７４に近接して配置される。回転経路７６は、一般に軸Ｒを中心に移動するように示されている。回転経路７６は、約１０ｃｍ〜約１００ｃｍの弓形の長さを含む。異なる長さが可能であることが想定されるが、蓋４０がカートリッジ７２の挿入を可能にするのに十分な程度まで開くように回転可能にすることが好ましい。上述したような、蓋４０を第１の部分３４に接続するための異なるタイプのヒンジ及び異なる接続手段もまた、当業者に知られていることが考慮される。
【００１７】
図３Ａ、３Ｂ、及び６Ｂを参照すると、前方部３４の本体６６は、空洞７８と共に設けられる。本実施形態では、空洞７８は、本体６６の内壁８０、ベゼル５４の内壁５２、及び蓋４０の内面８２（図５及び図６Ａ参照）によって画定される。開いた状態にあるとき、例えば図９Ｂ〜１０Ｂを参照するとき、間隔６４，７０は、芳香剤などの揮発した活性成分の放散のための排出口として機能する。
【００１８】
ここで、図４を参照すると、ディスペンサ３０と共に使用するためのカートリッジ７２の一実施形態が示されている。カートリッジ７２は、側壁８６及び底壁８８によって画定されたリザーバ８４を含む。本実施形態では、側壁８６は、一般に、湾曲した縁部を有する第１、第２、第３、及び第４の壁を各々有するものとして特徴づけることができる。側壁８６は、底壁８８に対して垂直であってもよく、底壁８８に対して傾斜していてもよい。本実施形態では、側壁８６の上端部９０は、その周辺に延びるフランジ９２で終端する。フランジ９２は、好ましくは均一な厚さを有し、フランジ９２の幅がその周りで均一になるように上端部９０から半径方向外向きに延びることができる。いずれにしても、フランジ９２は約０．５ｃｍから約５ｃｍ、より好ましくは約１ｃｍから約３ｃｍの最大半径幅を有することが考慮される。本実施形態では、側壁の上端部９０は、底壁８８に対して傾斜しており、これは、特定の空洞７８のフットプリント（ｆｏｏｔｐｒｉｎｔ）が与えられたとき、カートリッジのより大きい体積容量を提供することができ、及び／又は車両内で使用されるときに、ディスペンサ３０の方向に基づいて揮発性物質の効果的な又は変更された拡散特徴を可能にすることができる。
【００１９】
カートリッジ７２は、空洞７８内に嵌合するような大きさに決定され、フランジ９２は、本体６６の内部に置かれるようになる。好ましい実施形態では、１つ以上の支持構造物は、フランジ９２、側壁８６、及び／又は底壁８８を支持し、ハウジング３２内でのカートリッジ７２の確実な保持を提供する。
【００２０】
図４を続けて参照すると、カートリッジ７２は、リザーバ８４を隔離する透過膜９４をさらに含む。より詳細には、透過膜９４は、活性状態の間にそれを介して揮発性物質の拡散を可能にするように、フランジ９２の一部分に取り付けられる。カートリッジ７２の活性化以前に着脱可能な非透過性ラミネート（図示せず）を設けることができると考えられ、これは、揮発性物質の拡散を防止するために透過膜の上に延びてもよい。
【００２１】
ディスペンサ３０が閉じた状態で提供されるとき、例えば、図５及び図９Ａに示すように、蓋４０の内面８２は、透過膜９４と並置される。好ましい実施形態では、内面８２は、透過膜９４全体を横切って延び、その結果、リザーバ８４を覆う透過膜９４の表面積の１００％が内面８２と物理的に接触する。別の実施形態では、リザーバ８４を覆う透過膜９４の表面積の６０％〜９０％は、内面８２と物理的に接触する。また別の実施形態では、内面８２はまた、閉じた状態でフランジ９２の一部又は全部と並置される。好ましい実施形態では、フランジ９２の表面積の１００％は、内面８２と物理的に接触する。別の実施形態では、フランジ９２の表面積の２０％〜７０％は、内面８２と物理的に接触する。いくつかの実施形態では、内面８２はポリマーコーティングを含み、透過膜９４と接触するときに、気密又は蒸気気密の接続を形成することができる。別の実施形態では、内面８２は、特定の弾性を含み、透過膜９４を押し下げる際に気密又は蒸気気密の接続を形成することができる。ディスペンサ３０の効果的な閉鎖は、透過膜９４を介する揮発性物質の拡散が全くない、又は実質的にないことを可能にする。このような密閉は、ディスペンサがそれ以上電力の供給を受けない状態、又は他の作動状態にあるときに、ディスペンサ３０から揮発性物質の放出をさらに防止するか、又は実質的に防止するが、周囲の熱又は他の条件に応じて揮発性物質を放出してもよい。
【００２２】
別の実施形態では、第２シールは、蓋４０の周縁部５０と蓋ベゼル５４の内壁５２との間に生成される。第２シールは、蓋４０と透過膜９４との間に上述した第１シールに追加して、又はその代わりになり得る。
【００２３】
リザーバ８４は、透過膜９４を介して局所的雰囲気に放出可能な１つ以上の構成要素を含む活性成分又は揮発性物質が充填される。特定の実施形態では、活性成分又は揮発性物質は、担体物質内に設けられ、これは、濃縮された液体、ゲル、オイル、樹脂などとしてリザーバ８４内に共に保持される。好ましい実施形態では、透過膜９４は、液体透過性ではなく蒸気透過性であり、それによって周囲雰囲気に活性成分又は揮発性物質の全部又は一部の制御された放出を提供する（例えば、自動車室内）。特定の実施形態では、活性成分又は揮発性物質は、芳香剤、防虫剤、又は、担体液、脱臭液、又はそのようなものの中に配置された他の製品であってもよい。例えば、流体は、家庭用、商業用、及び施設用の空気及びカーペット消毒剤のＯＵＳＴ（商標）、又はウィスコンシン州ラシーンのＳＣジョンソンアンド社（Ｓ．Ｃ．  Ｊｏｈｎｓｏｎ  ａｎｄ  Ｓｏｎ，  Ｉｎｃ．）によって販売される家庭用消臭剤のＧＬＡＤＥ（登録商標）を含んでもよい。流体はまた、消毒剤、空気、及び／又は織物清浄体、クリーナー、消臭剤、かび又は白かび防止剤、殺虫剤などのような他の活性物質、又はアロマ治療特性を有する活性剤を含んでもよい。
【００２４】
一実施形態では、リザーバ８４は、１つ以上のポリマー層で作られる。床材は、 本体６６に嵌合するのに十分な弾力性を有し、その中に保持されることできる。透過膜９４のポリマー層は、上述されているように、蓋４０の内側に密封するように十分な弾力性を有し、亀裂、破れ、又は繰返しの加熱の影響を受けずにヒータによって加熱される。いくつかの実施形態では、リザーバ８４は、変形可能なリザーバであってもよく、ユーザがカートリッジをいつ交換する必要があるかが分かるように助ける寿命インジケータを提供してもよい。別の実施形態では、蓋４０は、透明な材料で作られているため、ユーザは空のリザーバをいつ交換しなければならないかを容易に決定することができる。また別の実施形態では、蓋４０は透明な窓（図示せず）を含み、ユーザが空のリザーバを見てディスペンサ３０を補充するかどうかを決定するためのアクセスを提供する。
【００２５】
ここで、図７及び図８を参照すると、ディスペンサ３０’は、カートリッジ１００と共に示されている。カートリッジ１００は、２つのリザーバ１０２，１０４を含み、それぞれのリザーバは、異なるタイプの揮発性物質を含み、２つの異なる機能が同時に又は他の順序で実行されてもよい。例えば、リザーバ１０２は、芳香剤を含んでもよく、リザーバ１０４は、消毒剤、消臭剤、かび又は白かび防止剤、防虫剤などを含んでもよい。別の実施形態では、２つのリザーバ１０２，１０４の両方が周囲の環境に複数の芳香を可能にするために異なるタイプの芳香剤を含んでもよい。また別の実施形態では、リザーバ１０２，１０４は、第１の揮発性物質が使い尽くされたときに、特定の揮発性物質の追加を可能にする、及び／又は揮発性物質の第２の供給源として作用するように同一の揮発性物質を含む。好ましい実施形態では、リザーバ８４は、揮発性物質の約２ｃｍ３（又は２ｇ）〜約５ｃｃ、又は約３ｃｃ〜約４ｃｃ、又は約３．５ｃｃを含む。さらに、リザーバ１０２，１０４は、それぞれ揮発性物質の約１．５ｃｃ（又は１．５ｇ）〜３ｃｃ、又は約１．７５ｃｃ〜約２．５ｃｃ、又は約２．０ｃｃを含む。単一又は二重リザーバカートリッジは、さらに多くの又はさらに少ない揮発性物質を含むことも考えられる。また、本明細書に開示された単一カートリッジ内のリザーバの区画の数は、制限されず、３つ以上に拡張されてもよい。また、２つ以上のリザーバを有する単一カートリッジの代わりに、複数の個別カートリッジが使用されてもよい。
【００２６】
図１１〜図１５を参照すると、ディスペンサ３０の電気アセンブリの構成要素は、より詳細に説明される。図１４を参照すると、車両（図示せず）内の接点、例えばライターソケットとの電気的連通のための正の接点１２０（図１参照）が示されている。図１４はまた、ヒューズ１２２、正極１２４、共通接点１２６、及び正極１２４と共通接点１２６と電気的に連通するプリント回路基板（ＰＣＢ）１２８を示す。
【００２７】
図１４及び図１５は、プリント回路基板１２８がヒータ１３０を含むことを示し、これは、１つ以上のヒータ素子を含み得る。本実施形態では、ヒータ１３０は、３つの抵抗の２つの列にそれぞれ配列された複数のヒータ素子１３２ａ〜１３２ｆ、例えば抵抗性ヒータを含む。プリント回路基板１２８はまた、ＬＥＤインジケータ１３６に対応する複数のＬＥＤ抵抗１３４ａ〜１３４ｃを含む（図１３参照）。また、プリント回路基板１２８は、マイクロコントローラ１３８、電圧昇圧器１４０、及び電力センサ１４２を含む。特定の実施形態では、プリント回路基板１２８は、ＵＳＢソケット１４４と電気的に連通する（図１１，１２、及び１５参照）。
【００２８】
好ましい実施形態では、ディスペンサ３０の電気アセンブリは、ディスペンサ３０をオン状態とオフ状態との間で切り替えるためのスイッチ１５０だけでなく、少なくとも２つの活性作動の設定と共に設けられる。別の実施形態では、ディスペンサ３０は、常にオン状態にあり、スイッチ１５０は、２つ以上の作動設定のバリエーションを提供する。本実施形態では、スイッチ１５０は、オフ位置、第１の作動位置と第２の作動位置との間で移動可能なスライドスイッチである（図１１及び図１２参照）。スイッチ１５０がオフ位置に移動した場合、電力は電源からプリント回路基板１２８に流れることができない。したがって、いずれのＬＥＤも光を透過しない（図１３参照）。スイッチ１５０がオン位置のうちの１つに移動すると、電力は電源から正極１２４を介してプリント回路基板１２８に流れ、結果的にＬＥＤインジケータ１３６が白色光、緑色光、又は任意の他の色を有する光を放出するようになる。
【００２９】
別の実施形態では、スイッチ１５０は、ワット数が、例えば１Ｗ、又は、０．５Ｗ、又は０．２Ｗ、又はそれより多くの又はそれより少ない増分単位で変化する増加工程に対応する、より多くの数の作動状態が提供される。スライドスイッチを使用できる一方で、このような実施形態は、ユーザによる直観的な使用のためにダイヤルスイッチ（図示せず）を備えてもよい。より大きな作動状態を提供することにより、ディスペンサ３０は、ユーザによる車両のラジオの調節と同様に、ディスペンサ３０の制御において一見無限の変化を与えることが可能になる。従って、スイッチ１５０は、電力の連続的な出力範囲を含み、スイッチ１５０は、電力の流れを線形に調節するように連続的な範囲に沿って移動する。いくつかの実施形態では、スイッチ１５０は、タッチセンサによって調整されるタッチスイッチである。
【００３０】
特定の実施形態では、正極１２４から複数のヒータ素子１３２ａ〜１３２ｆへの電力の流れは、トランジスタ１５２によって制御される。スイッチ１５０が「オン」位置に移動した場合に、電力は正極１２４から複数のヒータ素子１３２ａ〜１３２ｆに必ずしも伝達されるとは限らない。電力センサ１４２は、ユーザが自動車の電源をオン又はオフにしたとき、電源からの電圧の変化を検出するために使用される。ユーザが自動車をオンにすると、電圧上昇の閾値に達し、電力センサ１４２は、正極１２４から複数のヒータ素子１３２ａ〜１３２ｆに電力を伝導するためにトランジスタ１５２に信号を送る。その後、複数のヒータ素子１３２ａ〜１３２ｆは発熱し始める。ユーザが自動車をオフにして電圧低下の閾値に達すると、電力センサ１４２は、正極１２４から複数のヒータ素子１３２ａ〜１３２ｆに電力を伝導するのを停止するためにトランジスタ１５２に信号を送る。その後、複数のヒータ素子１３２ａ〜１３２ｆは発熱を停止する。特定の実施形態では、電力センサ１４２は、スマートフォンブルートゥース（商標）技術によって制御される。別の実施形態では、トランジスタ１５２は、電界効果トランジスタ（ＦＥＴ）である。また、当業者は、正極１２４と複数のヒータ素子１３２ａ〜１３２ｆとの間の電気チャネルを開閉するために異なるタイプのトランジスタを使用することができる。
【００３１】
また別の実施形態では、マイクロコントローラ１３８は、出勤スケジュール、 学校への子供の見送り、昼食に行くなどのユーザの運転習慣を記録するために使用される。マイクロコントローラ１３８は、正極１２４から複数のヒータ素子１３２ａ〜１３２ｆに電力を伝導したり、トランジスタ１５２に信号を送るために使用されたり、ディスペンサ３０から芳香の出力を増加させるために発熱を効果的に開始したり、又は芳香の出力を減少又は停止するために発熱を停止してもよい。
【００３２】
図１６を参照すると、複数のヒータ素子１３２ａ〜１３２ｆを含むヒータ１３０は、カートリッジ７２の下に配置される。より詳細には、ヒータ１３０を含むプリント回路基板１２８の部分は、ハウジング３２の第１の部分３４内に設けられる。好ましくは、ヒータ１３０は、カートリッジ７２のリザーバ８４の底壁８８の完全に下に設けられる。特定の一実施形態では、底壁８８の表面積は、ヒータ１３０の複合表面積より大きく、効果的な熱伝達を提供するためにヒータが存在する境界を規定する。即ち、ヒータ１３０は、カートリッジ７２の下にある底壁８８の周囲を越えて延びない。別の実施形態では、ヒータ１３０は、底壁８８の周囲を越えて延び、及び／又は側壁８６に隣接するヒータ素子を含む。さらに、特定の実施形態では、熱偏向器１６０は、揮発性物質の適正加熱及び放出を保障するためにヒータ１３０とリザーバ８４との間に設けられる。考えられる全ての実施形態において、ヒータ１３０は、リザーバ８４に様々な加熱プロファイルを伝達するのを助けるために設けられ、そこに含まれた揮発性物質自体が様々な放出プロファイルを有し得る。
【００３３】
ヒータ素子の数は変更可能であり、本明細書に開示された数は限定的ではない。例えば、ヒータ１３０は、１つのヒータ素子、又は２つ〜６つのヒータ素子、又は６つ以上のヒータ素子を含んでもよく、ハウジング３２内に任意の方法で、例えば、単一列のヒータ素子、又は２列のヒータ素子、又は２列以上ヒータ素子を設けてもよい。さらに、従来の抵抗ヒータの代わりに、開示されたヒータ素子１３２ａ〜１３２ｆのうちの１つ以上は、正温度係数（ＰＣＴ）ヒータ又は当業者に周知の任意のヒータ素子を含んでもよい。別の実施形態では、複数のヒータ素子１３２ａ〜１３２ｆは、１つ以上の異なる電気インピーダンスを有する抵抗要素を含む。
【００３４】
特定の実施形態では、複数のヒータ素子１３２ａ〜１３２ｆの様々な加熱プロファイルは、パルス幅変調（ＰＷＭ）によって調整され、これは、ヒータ素子１３２ａ〜１３２ｆを含むＰＣＴヒータに関連して本実施形態の目的のために説明される。連続電力出力範囲に沿ったスイッチ１５０の移動は、電源から入力される圧力を変化させる。その結果、変化する電圧入力は、ＰＷＭを介して特定ヒータ素子１３２ａ〜１３２ｆの遮断又はオンの異なるパターンを触発する。スイッチ１５０のユーザ操作と無関係に、ＰＷＭを同様に使用することができる。例えば、自動車が最初に始動されたときには、芳香剤などの揮発性物質を迅速に放出する必要があり得る。車両の始動時に放出される電源からの電圧の急上昇の下で、ディスペンサ３０は、特に指定された温度に少なくとも１つのＰＣＴ構成要素をオンにし、自己調整によってその温度で作動するようにプログラムされる。特定の実施形態では、電圧昇圧器１４０は、特定の温度を迅速に達成するために、少なくとも１つのＰＣＴ構成要素に関連して使用される。従って、リザーバ８４及び透過膜９４は、約５秒〜１５秒の範囲の実質的に短い時間内に揮発性物質を放出することができる。さらに、特定の実施形態では、リザーバ８４の底壁８８及び／又は壁８６ａ〜８６ｄは、リザーバ８４を加熱又は冷却するのに必要な時間量を低減する熱伝導性物質を含む。別の実施形態では、ＰＷＭを使用して、特定時間にオン又はオフするように、同じ又は異なる電気インピーダンスを有する抵抗器をプログラムすることができる。また、ＰＷＭは、特定時間に各抵抗の抵抗加熱を調整してもよい。特定の実施形態では、ＰＷＭは、スマートフォンブルートゥース（商標）技術によって調整されてもよい。
【００３５】
特定の実施形態では、プリント回路基板１２８は、例えば、サーミスタのような周囲温度での変化を検出するためのセンサ（図示せず）をさらに含む。周囲温度が増加すると、サーミスタは、一定の放出速度を保持するためにＰＣＴ構成要素などのヒータ素子によって生成された熱を低減するための信号を送る。一方、周囲温度が減少すると、サーミスタは、一定の放出速度を保持するためにＰＣＴ構成要素などのヒータ素子によって生成される熱を増加させるように信号を送る。
【００３６】
さらに、放出プロファイルは、異なるタイプの活性成分に基づいて異なる揮発性物質の間で変化し得る。特定の実施形態では、リザーバ８４の底壁８８は、少なくとも１つの無線周波数識別（ＲＦＩＤ）タグを含み、これは、揮発性物質の有効性を最大化するためにどのような種類の放出プロファイルが望ましいかについて、例えば遅い放出速度又は速い放出速度についてプリント回路基板１２８にメッセージを伝達する。
【００３７】
特定の実施形態では、ディスペンサ３０は、カートリッジ７２の温度を制御するカートリッジ冷却ユニット（図示せず）をさらに含む。高い周囲温度は活性成分の望ましくない放出を引き起こすことがあるので、カートリッジ冷却ユニットは、リザーバ８４の温度を下げて揮発性物質の揮発速度を低下させる。
【００３８】
また、特定の実施形態では、ディスペンサ３０は、間隔６４，７０を通じた均等な分布を保障するために、揮発性物質分散ユニット（図示せず）を含む。分散ユニットは、ファン又は当業者に周知の任意の他の適切な装置を含んでもよい。
【００３９】
また、特定の実施形態では、ＬＥＤインジケータ１３６は、カートリッジ７２を交換する必要があること、又は使い切ったことを特定色の光又は光パターンの変化によって視覚的に示す機能を提供してもよい。例えば、リザーバ８４内の揮発性物質が初期容量の約半分に減少した場合、黄色光が発光し、カートリッジ７２を交換する必要があるときに赤色光が発光してもよい。
【００４０】
さらに、特定の実施形態では、ＵＳＢソケット１４４（図１１，１２、及び１５参照）は、例えば、充填モバイル装置のような自動車内の他の電子装置に電力を供給するために使用されてもよい。
【００４１】
別の実施形態において、本明細書に提供される揮発性ディスペンサ３０は、１つ以上の検出装置、ならびに抵抗器、ＬＥＤ、ヒータ、排出システム（ｖｅｎｔｉｎｇ  ｓｙｓｔｅｍｓ）などの他の電子又は電気構成要素と相互作用するように構成されてもよい。例えば、ディスペンサ３０は、空洞７８内のカートリッジ７２の物理的存在を検出して、ディスペンサ３０及びその電気構成要素のいずれかの活性化を可能にするスイッチ又は他の検出機構を設けてもよい。逆に、カートリッジが検出されなければ、ディスペンサ３０及びその電気構成要素のいずれも活性化されない。さらに、他の検出機構は、カートリッジ７２の充填状態を検出し、ディスペンサ３０及びその電気構成要素のいずれかの作動の変更を可能にしてもよい。
【００４２】
次に、図１７〜図３０を参照すると、ディスペンサ２３０のまた別の実施形態が示されている。ディスペンサ２３０は、ディスペンサの非使用又は非作動状態の間に周囲の環境への揮発性物質の放出を可能にするさらなる利点を提供する。しかし、ディスペンサ２３０は、図１〜図１６と関連して開示された構造物又は作動方法のいずれかを含むように変更され得ると考えられる。図１〜図１６の実施形態と関連し、開示された任意の変化がディスペンサ２３０と関連して使用され得ることがさらに考えられる。
【００４３】
ディスペンサ２３０は、第１又は上部２３４、第２又は下部２３６、及び第３又はプラグ部２３８を有するハウジング２３２を含む。ディスペンサ２３０はまた、蓋２４０を含む。上述したような、説明されたディスペンサ２３０は、自動車などの手段の内部に空気清浄の揮発性物質を散布するために設けられるが、他の物質又は他の場所で分配するために同様に使用されてもよい。
【００４４】
図１７〜図１９に示すように、蓋２４０は、ディスペンサ３０と関連して上述したものと同様の方法で前方部２４４から下方に角度付けされた後方部２４２を有する輪郭付けされた表面を含む。軸Ｍは、軸線Ｌ及びＬ’と関連して上述したものと同様の方法で軸Ｍ’を中心に測定された蓋２４０の全体の長さの約１／３に配置される。複数の開口部２４６は、ディスペンサ２３０の一部を通る空気の流れを容易にするために蓋２４０内に設けられる。図示した実施形態では、開口部２４６は、四角い三日月形を画定するが、開口部は、別の形状を有してもよい。例えば、開口部２４６は、半円形、半楕円形、円形、楕円形、正方形、三角形、多角形、又は当業者に周知の任意の他の形状の形態であってもよい。また、開口部２４６は、同じ大きさ及び／又は形状を有してもよく、異なる大きさ及び／又は形状を有してもよい。また、いくつかの実施形態では、単一開口部２４６のみが含まれてもよい。別の実施形態では、３つ以上の開口部が設けられる。開口部２４６は、周囲雰囲気がハウジング２３２の内部と流体連通することを可能にする。
【００４５】
図１７〜図１９を続けて参照すると、ヒンジ２５４が後方部２４２の後方端部２５６に隣接して設けられる一方で、ラッチ又は保持機構２５０を開放するためのプッシュ部が蓋２４０の前方部２４４の前方端部２５２に隣接して設けられる。図示した実施形態では、保持機構２５０は、蓋２４０に形成されるキャッチ２５８（図１９参照）及びキャッチ２５８を収容するハウジング２３２の前方端部２６２内の開口２６０（図１９参照）を含む。キャッチ２５８は、ハウジング２３２との係合から蓋２４０を解放するためにユーザが押すことのできる押込み可能領域又は作動部２６４に隣接して設けられる。いくつかの実施形態では、保持機構２５０は、ディスペンサ２３０の使用中に蓋２４０を適所に保持することができ、ユーザが蓋２４０の前方端部２５２に隣接する作動部２６４を押す又は操作することによって蓋２４０を外すことができるように、留め金（ｃｌａｓｐ）、掛け金（ｈａｓｐ）、留め具（ｆａｓｔｅｎｅｒ）、又は他のラッチ機構を含むことができる。
【００４６】
特に図１７を参照すると、蓋２４０の周縁部２７０は、上部２３４の内壁２７４のレッジ２７２（又はベゼル）と同一面上に示されている。図１９を参照すると、蓋２４０は上部２３４から除去して示され、図２０では、カートリッジ２７６のようなコンテナも除去されていること以外は同様の図が示されている。図１９及び図２０は、蓋２４０及び上部２３４が一般に蓋２４０と同様の方法で角度付けされる上部２３４と同様の方法で輪郭付けされることをさらに示している。
【００４７】
さらに、図１９及び図２０を参照すると、ヒンジ２５４は、１つ以上のボア（ｂｏｒｅｓ）２８０及び突出部２８２を含むように示されている。図示した実施形態では、ヒンジピン２８４を集合的に形成する２つの突出部２８２は、上部２３４の後方端部２８６から延びる。ボア２８０は、蓋２４０の後方部２４２の後方端部２５６内に設けられ、突出部２８２と係合する。突出部２８２は、ヒンジ２５４を形成するために、ボア２８０とスナップフィット係合を形成する。図示した実施形態では、ボア２８０は、ボア２８０内への突出部２８２のスナップフィットを可能にするために円筒形部分の連続性が中断されるので、部分ボアとして特徴付けされてもよい。別の実施形態では、突出部２８２によって形成されたヒンジピン２８４は、２つの突出部ではなく１つの連続ピンであってもよく、及び／又はボア２８０は、ヒンジピン２８４との係合のための２つ以上の個別の部分を含んでもよい。他のタイプのヒンジを使用することも考慮され得る。
【００４８】
図２０及び図２３〜図２５を参照すると、蓋２４０の底面２９２から下方に延びる複数の脚部２９０が示されている。図２０にはさらに、ハウジング２３２の上部２３４の内壁２７４から延びる複数の腕部２９４が示されている。以下により詳細に説明するように、腕部２９４及び脚部２９０は、ディスペンサ２３０の使用中にカートリッジを定位置に保持するために、カートリッジ２７６の部分と接触する。さらに、蓋２４０の底面２９２から延びるアクチュエータ２９６（図２１及び図２３参照）が示されている。アクチュエータ２９６は、ディスペンサ２３０をオンにすることを可能にするトグルスイッチ２９８（図２１参照）と接触する。図２１に示すように、蓋２４０が閉じた構成にあるとき、アクチュエータ２９６は、トグルスイッチ２９８と係合して回路を閉じ、それによってディスペンサ２３０を介して電力が流れることを可能にする。
【００４９】
いくつかの実施形態では、トグルスイッチ２９８は、「オン」及び「オフ」の２つの設定のみを有し、「オン」設定は、蓋２４０が閉じた構成である場合にのみ動作可能である。別の実施形態では、図１７に示すように、ディスペンサ２３０が閉じた構成でない限りディスペンサ２３０の使用を防止する追加的な要素が追加されてもよい。あるいは、アクチュエータ２９６及び／又はトグルスイッチ２９８を含まないこともできる。
【００５０】
図２０を参照すると、ヒータは、ヒータ素子３１０及び基板３１２を含み、これは、レセプタクル３１４内に設けられる。いくつかの実施形態では、ヒータ素子３１０は、抵抗性加熱ワイヤ、伝導性シリコーンヒータ、ＰＣＴヒータ、セラミックヒータ素子、又は当業者に周知の他のヒータを含んでもよい。いくつかの実施形態では、ヒータ素子３１０内に、アルミニウム、黄銅、炭素、コンスタンタン、銅、鉄、マンガン、モリブデン、ニクロム、ニッケル、白金、ステンレス鋼、鋼、又は亜鉛のうちの１つ以上が含まれてもよい。ヒータ素子３１０（及び／又は基板３１２）は、カートリッジ２７６と直接的又は間接的に熱的に連通することも考慮される。いくつかの実施形態では、ヒータ素子３１０（及び／又は基板３１２）は、カートリッジ２７６と直接接触していることも考えられる。
【００５１】
好ましい実施形態では、ヒータ素子３１０は、ＦｅＣｒ、ＦｅＣｒＡＬ、ＦｅＣｒＡｌＹ、ＮｉＣｒ、ＮｉＣｒＦｅ、ＮｉＡｌ、ＮｉＦｅ、及び／又はＣｕＮｉなどの合金を含む１つ以上の抵抗性加熱ワイヤを含む。ヒータ素子３１０は約０．２ｍｍ〜約３ｍｍ、約０．５ｍｍ〜約２ｍｍ、又は約１．５ｍｍの直径を有する１つ以上のワイヤを含む。ヒータ素子３１０はまた、高抵抗鉄クロムアルミニウム合金、高抵抗ニッケルクロム合金、低抵抗ニッケル鉄合金、及びの中抵抗及び／又は低抵抗銅ニッケル合金を含んでもよい。
【００５２】
上述したような、ヒータ素子３１０は、金属片又は他の熱伝導性基板３１２を含むか、又はそれらと組合せてもよい。このような基板は、ヒータ素子３１０を部分的又は全体的に囲むように形成されてもよい。いくつかの実施形態では、基板３１２は、一般に平坦な材料であってもよく、ある曲率を付与してもよい。抵抗性ワイヤを使用する実施形態では、ヒータ素子３１０は、織込まれていてもよく、クロスハッチングパターンで形成されていてもよく、又は一般に平行な形状に形成されていてもよい、１つ以上のワイヤを含んでもよい。このような抵抗性ワイヤはまた、任意の幾何学形態をとる基盤、例えば熱伝導性の四角要素によって部分的又は全体的に囲まれるように同様に形成され得ることが考慮される。ヒータ素子３１０（及び／又は基板３１２）はまた、カートリッジが特定量の熱を受けたときに、カートリッジ２７６の制御された変形を促進する形状を有してもよい。
【００５３】
図１７〜図３０に示した実施形態では、ヒンジ２５４は、ハウジング２３２の上部２３４の後方端部２８６に近接して配置される。図２３に示すように、軸Ｂを中心とした移動のための回転経路３１６が一般的に示されている。回転経路３１６は、約１０ｃｍ〜約１００ｃｍの弓形の長さを含む。図２５に示すように、蓋２４０が開いた状態にあるとき、間隔３１８（図２３）が形成される。異なる長さが可能であることが想定されるが、蓋２４０は、カートリッジ２７６の挿入を可能にするのに十分な程度まで回転可能に開かれることが好ましい。
【００５４】
上述したような、上部２３４に蓋２４０を接続するための異なるタイプのヒンジ及び他の接続手段もまた、当業者に周知であることが考慮される。
【００５５】
図２０を参照すると、空洞３２０を備えた上部２３４が示されている。空洞３２０は、レセプタクル３１２を含む。本実施形態では、空洞３２０は、上部２３４の内壁２７４及び蓋２４０の底面２９２によって画定される。上部２３４の内壁２７４内にカートリッジ２７６を収容するレセプタクル３１２が画定される。レセプタクル３１２は、部分的にレセプタクル壁３２２及びレセプタクル底３２４によって画定される（図２４参照）。図２０にさらに示すように、ヒータ素子３１０及び基板３１２は、レセプタクル３１４内に設けられる。図示した実施形態では、基板３１２は、レセプタクル底３２４に隣接して実質的に平行であり、長方形の形状を有する。しかし、別の実施形態では、基板３１２（及び／又はヒータ素子３１０）は、異なる形状又は向きを含んでもよい。
【００５６】
図２０Ａを参照すると、同一の参照番号が付されたディスペンサ２３０と関連して開示されたものと同様の構造を有するディスペンサ２３０ａの異なる実施形態が示されている。本実施形態では、ハウジング２３２ａの下部２３６ａに沿って追加的な開口部２４６ａが設けられている。また、ＬＥＤ（図示せず）は、プラグ部２３８ａ内に収容された電気構成要素に直接的に取り付けられ、そこから照射される光は、１つ以上の光開口部３２８ａを介して導かれる。光開口部３２８ａは、１つ以上のＬＥＤからの光が空洞３２０ａ及びカートリッジ２７６に入ることを可能にする。いくつかの実施形態では、カートリッジ２７６の一部分は、光をトラップして照明効果を作り出すための導波管として作用する。カートリッジ２７６に入る光を使用して、ユーザがカートリッジ内にどれだけの揮発性物質が残っているかを判断するための使い切りのサインを示す機能を提供することも考えられる。例えば、いくつかの実施形態では、完全に充填されたカートリッジ２７６は、紫色、赤色、緑色、黄色、青色などの色を有する揮発性物質又は揮発性担体を含んでもよい。着色された揮発性物質又は担体がＬＥＤからの光の影響を受けた場合、周辺光はユーザに明確になる。カートリッジ２７６内の揮発性物質が、その放出によって減少するにつれて、カートリッジ２７６を介して照射される光は時間の経過によって白色に変わる。好ましい実施形態では、１つ以上のＬＥＤは、プリント回路基板に表面実装され、カートリッジ２７６を照らすことができる位置に取り付けられる。
【００５７】
ここで、図２２を参照すると、ディスペンサ２３０と共に使用するためのカートリッジ２７６の１つの例示的な実施形態が示されている。カートリッジ２７６は、側壁３３０及び底壁３３２によって画定されるリザーバ３２６を含む。本実施形態では、側壁３３０は、一般に湾曲した縁部を有する第１、第２、第３、及び第４の壁を有するものとして特徴付けることができる。側壁３３０は、底壁３３２に対して垂直であってもよく、底壁３３２に対して傾斜していてもよい。本実施形態では、側壁３３０の上端部３３４は、その周辺に延びるフランジ３３６で終端している。フランジ３３６は、好ましくは均一な厚さを有し、フランジ３３６の幅がその周りで均一になるように、上端部３３４から半径方向外向きに延びることができる。後述するように、カートリッジ２７６の部分に沿った空気の流れを容易にするため、又はカートリッジ２７６に剛性を提供するため、又は他の何らかの理由でフランジ３３６の周辺又は下に多数の特徴を設けてもよい。例えば、カートリッジ２７６に追加される変形、開口部、突出部、又は材料は、それに対して剛性を付加するために、又は側壁３３０及び／又は底壁３３２の制御された崩壊などのカートリッジ２７６の形状の制御された変化を可能にするために設けられてもよい。
【００５８】
ここで、図２２Ａ及び図２２Ｂを参照すると、ディスペンサ２３０と共に使用するためのカートリッジ２７６ａ，２７６ｂの別の実施形態がそれぞれ示されている。カートリッジ２７６ａ，２７６ｂは、それぞれ側壁３３０ａ，３３０ｂ及び底壁３３２ａ，３３２ｂによって画定されるリザーバ３２６ａ，３２６ｂを含む。側壁３３０ａ，３３０ｂは、底壁３３２ａ，３３２ｂに対して垂直であってもよく、底壁３３２ａ，３３２ｂに対して傾斜していてもよい。本実施形態では、側壁３３０ａ，３３０ｂの上端部３３４ａ，３３４ｂは、それぞれ周辺に延びるフランジ３３６ａ，３３６ｂで終端する。フランジ３３６ａ，３３６ｂは、好ましくは均一な厚さを有し、フランジ３３６ａ，３３６ｂの幅がその周辺で均一になるように上端部３３４ａ，３３４ｂから半径方向外向きに延びる。複数のリッジ又は剛性特徴３４４ａ，３４４ｂは、剛性の崩壊しないカートリッジを提供するために、側壁３３０ａ，３３０ｂに沿ってそれぞれ設けられてもよい。代替的に、リッジ３４４ａ，３４４ｂは、カートリッジ２７６ａ，２７６ｂの制限された崩壊を可能にし、及び／又はユーザの好みに基づいてカートリッジの制御された崩壊を可能にするために含まれてもよい。このような特徴は、側壁３３０ａ，３３０ｂ及び／又は底壁３３２ａ，３３２ｂが形状を変えたり変形したりすることがあるため、カートリッジ２７６ａ，２７６ｂへの熱の適用に特に関連してもよい。
【００５９】
リッジ３４４ａ，３４４ｂは、崩壊の防止、又は側壁３３０ａ，３３０ｂの制御された崩壊を可能にすることができる。いくつかの形態では、側壁３３０ａ，３３０ｂの崩壊を制御して、ディスペンサ２３０のユーザのために使い切りのサインを示す機能を提供してもよい。リッジ３４４ａは一般に三角形の形状を有し、リッジ３４４ｂは一般に四角形の形状を有し、四角形、曲線形状、半円形、台形、楕円形、五角形、八角形、任意の他の適切な形状、又は、前記形状の任意の組み合わせを含むが、これらに限定されない任意の幾何学的形状が想定される。リッジ３４４ａ，３４４ｂは、任意の機能性以外に、ユーザが望む審美的構成要素を有してもよいことが想定される。リッジ３４４ａ，３４４ｂは、互いに隣接して配置されてもよく、又は平面形側壁３３０ａ，３３０ｂの一部がそれらの間に設けられてもよい。
【００６０】
図２２を参照すると、カートリッジ２７６は、リザーバ３２６を隔離する透過膜３４０をさらに含む。より詳細には、透過膜３４０は、カートリッジ２７６の使用中に揮発性物質３４２がそこを通って拡散することを可能にするために、フランジ３３６の部分に取り付けられる。揮発性物質の拡散を防止するために、透過膜の上に延びるカートリッジ２７６の活性化前に除去可能な非透過性ラミネート（図示せず）を設けることもできる。
【００６１】
好ましい実施形態では、カートリッジ２７６は、ディスペンサの非使用状態又は非作動状態において周囲雰囲気の周囲の熱によって加熱される。好ましい実施形態では、周囲温度が約１０°Ｃ以上、又は約１５°Ｃ以上、又は約２０°Ｃ以上、又は約２５°Ｃ以上である場合に、カートリッジ２７６内に配置される揮発性物質３４２及び／又は担体液は、周囲雰囲気に蒸発又は放出される。いくつかの実施形態では、揮発性物質３４２は、約１０°Ｃ、又は約１５°Ｃ、又は約２０°Ｃ、又は約２５°Ｃの温度で発散してもよい。
【００６２】
図２０及び図２１を参照すると、カートリッジ２７６は、空洞３２０のレセプタクル３１４内に嵌合するような大きさにされている。挿入されると、レセプタクル壁３２２は、カートリッジ２７６の側壁３３０を受け入れて隣接する。カートリッジ２７６のフランジ３３６は、蓋が閉位置にあるときに、ハウジング２３２の腕部２９４の下に装着され、蓋２４０の脚部２９０と接触する。従って、カートリッジ２７６は、レセプタクル３１４内に入れ子状に収まり、レセプタクル壁３２２、脚部２９０、及び腕部２９４を含む保持機構によって定位置に保持される。図１９，２０、及び２４を参照すると、ヒータ素子３１０は、レセプタクル底３２４とカートリッジ２７６の底壁３３２との間に配置される。従って、ディスペンサ２３０の使用中、カートリッジ２７６のフランジ３３６は、腕部２９４及び脚部２９０によって確実に定位置で保持され、カートリッジ２７６の側壁３３０は、レセプタクル壁３２２に対してぴったりと嵌め込まれ、カートリッジの底壁３３２は、レセプタクル３１４内のレセプタクル底３２４に隣接するヒータ素子３１０（及び／又は基板３１２）と並置される。しかし、いくつかの実施形態では、フランジ３３６、側壁３３０、及び／又は底壁３３２を含むカートリッジ２７６のいくつかの部分は、ハウジング２３２又はヒータの１つ以上の部分に並置されなくても、又は隣接しなくてもよい。好ましい実施形態では、蓋２４０のどの部分もカートリッジ２７６のいずれの部分とも接触していないため、カートリッジの透過膜３４０と蓋２４０の底面２９２との間に空間又はヘッドスペースが存在する。好ましい実施形態では、腕部２９４に加えて１つ以上の支持構造物がフランジ３３６、側壁３３０、及び／又は底壁３３２を支持して、ハウジング２３２内でのカートリッジ２７６の確実な保持を提供する。いくつかの実施形態では、ディスペンサ２３０は、脚部２９０、腕部２９４、又は他の支持構造のいずれかを含む必要はない。
【００６３】
ディスペンサ２３０が、例えば、図１７，１８、及び２１に示すように閉じた状態で提供される場合、アクチュエータ２９６は、後述されるように、トグルスイッチ２９８と係合して回路を閉じる。上述したカートリッジ７２は、透過膜９４を通る揮発性物質の拡散を可能にしないか、又は実質的に可能にしないこともでき、一方でディスペンサ２３０は、ディスペンサ２３０が活性又は不活性状態にあるときに、透過膜３４０を通じた揮発性物質のいくらかの拡散を可能にするために部分的に密閉される。ディスペンサ２３０のそのような不活性状態、即ち非使用状態又は非作動状態は、非透過膜がカートリッジ２７６から除去されて、カートリッジ２７６がレセプタクル３１２内に配置された後のディスペンサ２３０自体が熱を発していない任意の時間として特徴付けられてもよい。
【００６４】
部分密閉は、蓋２４０内に１つ以上の開口部２４６を含むことによって形成される。いくつかの実施形態では、開口部２４６はまた、ハウジング２３２の上部２３４又は下部２３６、又はその両方に設けられてもよい。このような部分密閉は、ディスペンサが電力の供給を受けていないとき、又は他の動作状態にあるときにディスペンサ２３０からいくらかの揮発性物質の放出を可能にする。透過膜３４０を介して周囲雰囲気に揮発性物質のいくらかの拡散を可能にすることにより、電力が供給されないときにユーザがディスペンサ２３０を完全に遮断しようとしない場合がある状況での物質の周辺拡散を提供する。さらに、揮発性物質の一部を装置の外に拡散させることは、非使用状態及び非作動状態の間のディスペンサ２３０内に分配された物質の凝縮（又は蓄積）をさらに防止し得る。分配された物質は、カートリッジ２７６のリザーバ３２６内に設けられた任意の構成要素を広範囲に含んでもよく、これは、透過膜を介して発散される揮発性物質、例えば担体物質を含む。
【００６５】
図２２を再び参照すると、リザーバ３２６は、上記のような１つ以上の構成要素を含む活性成分又は揮発性物質で充填されてもよい。いくつかの実施形態では、リザーバ３２６は、リザーバ８４と関連して上述したような物質のうちの１つ以上から作製される。別の実施形態では、蓋２４０は、透明な物質で作られ、ユーザが空のリザーバをいつ交換しなければならないかを容易に判断することができる。いくつかの実施形態では、蓋２４０は、ユーザが空のリザーバを見て、ディスペンサ２３０を充填するかどうかを決定するためのアクセスを提供する透明な窓（図示せず）を含む。一実施形態では、蓋２４０は、不透明である。
【００６６】
図２４を参照すると、ディスペンサ２３０は、カートリッジ２７６及びヒータ素子３１０なしで示されている。底開口部３４６は、レセプタクル底３２４内に設けられる。底開口部３４６は、熱がレセプタクル底３２４を介してハウジングの外に消散することを可能にするために含まれてもよい。図２４Ａを参照すると、熱スイッチ又はヒューズ３４８ａは、底開口部３４６ａの下に又は隣接して設けられてもよい。いくつかの実施形態では、底開口部３４６に隣接する表面は、図２４Ａと関連して後述するように、サーマルカットオフ（ＴＣＯ）に背圧を加えてサーマルカットオフをヒータと接触状態に保持する。また、図２４には、光又は発光ダイオード（ＬＥＤ）３５０及びアクチュエータ開口部３５２が示されている。アクチュエータ開口部３５２は、内壁２７４の一部分内に設けられ、ディスペンサ２３０が閉位置にあるときに、アクチュエータ２９６を収容する形状を有する。さらに、図２４及び図２５は、２つの支持部３５４を示し、これは、蓋２４０の底面２９２から下方に突出する。支持部３５４は、ハウジング２３２の上部２３４内に形成された複数の突出部３５６と接触する。支持部３５４は、蓋が閉じた状態にあるときに、蓋２４０にさらに支持する。
【００６７】
さらに図２４を参照すると、複数のポスト３５８が底開口部３４６内に示されている。好ましい実施形態では、ポスト３５８は、熱スイッチ又はヒューズ３４８ａを収容する（図２４Ａ参照）。上述したような、図２４Ａを参照すると、ヒューズ３４８ａは、高温で、可能であれば可聴音と共に開き、温度が閾値レベルに降下したときに、再び閉じる熱スイッチであってもよい。ヒューズ３４８ａは、バイメタルストリップ（ｂｉｍｅｔａｌｌｉｃ  ｓｔｒｉｐ）、加熱されたときに、インサイドアウト逆キャップ形状に「クリック」するバイメタルドーム形キャップ（ｂｉｍｅｔａｌｌｉｃ  ｄｏｍｅ−ｓｈａｐｅｄ  ｃａｐ）、又は他の何らかの構成要素を含んでもよい。好ましい実施形態では、ヒューズ３４８ａは、再使用可能であり、ハウジング２３２内の一時的な熱上昇を防止するのに適している。いくつかの実施形態では、ヒューズ３４８ａは、共晶サーマルカットオフ（Ｅｕｔｅｃｔｉｃ  ＴＣＯ）である。別の実施形態では、ヒューズ３４８ａは、抵抗が突然急激に上昇し、回路を流れる電流を制限する「スイッチ」温度を有するＰＣＴサーミスタである。サーミスタリレーと組合せて使用する場合、ＰＴＣサーミスタは、所望の温度で電気システムをスイッチオフすることができる。ディスペンサ３０と関連して上述したように、閾値温度に達すると、電気システム又は電気システムのいくつかの構成要素を遮断することができる装置の任意の部分に沿って１つ以上のサーミスタを設けてもよい。
【００６８】
図２６及び図２７を参照すると、ハウジング２３２の下部２３６は、「オフ」構成と１つ以上の「オン」構成との間でディスペンサ２３０を操作するように動作可能な電源スイッチ３６０を含むように示されている。電源スイッチ３６０に隣接して、電源スイッチ３６０の位置に応じてディスペンサ２３０に提供される電力をユーザに示す電力の階調（ｐｏｗｅｒ  ｇｒａｄａｔｉｏｎｓ）３６２が示されている。いくつかの実施形態では、電源スイッチ３６０は、「オフ」位置、「低」位置、「中」位置、及び「高」位置の間でディスペンサ２３０を操作するように動作可能である。例えば「低」、「中」、及び「高」などの「オン」形状のそれぞれは、ヒータ素子３１０に供給される互いに異なる量の電力を提供することができ、これは、カートリッジ２７６から放出される揮発性物質の量を変更することができる。いくつかの実施形態では、電源スイッチ３６０は、ノブ、ダイヤル、ボタン、又は、レバーの形状である。
【００６９】
図２８〜図３０を参照すると、ディスペンサ２３０の電気的部分がより詳細に説明される。具体的には、図２８を参照すると、ディスペンサ２３０の電気部品の一部又は全部を含むヒータアセンブリ３６８が示されている。ヒータアセンブリ３６８は、車両（図示せず）から電源の接続部、例えばライターソケット、又は他の電源アウトレットからの電源コンタクトに電気的に接続することによって ヒータアセンブリ３６８に電力を伝達するように構成された正の接点３７０を含む。図２８はまた、正極３７２及び共通接点３７４を示し、これは、プリント回路基板（ＰＣＢ）３７６に接続され、プリント回路基板３７６は、ヒータアセンブリ３６８の作動を制御する複数の電気構成要素を含む。
【００７０】
図２８は、プリント回路基板３７６がヒータ素子３１０と結合されることを示し、これは、１つ以上の個別ヒータ素子及び基板を含んでもよい。本実施形態では、ヒータ素子３１０は、単一ヒータ素子、例えば材料の単一の薄片を含み、その少なくとも一部は、上述したような熱伝導性物質を含む。プリント回路基板３７６はまた、ＬＥＤ３５０に対応する複数の抵抗３８０のＬＥＤを含む。また、プリント回路基板３７６は、マイクロコントローラ３８２及び電圧調整器３８４を含む。トグルスイッチ２９８は、ＬＥＤ３５０に隣接するように示されている。
【００７１】
好ましい実施形態では、ディスペンサ２３０の電気アセンブリは、上述したような少なくとも２つの活性作動設定を含む、「オフ」状態と「オン」状態との間でディスペンサ２３０を切り替えるための電源スイッチ３６０が設けられる。いくつかの実施形態では、作動状態は、電源スイッチ３６０がユーザによってどれだけ調節されたかに応じて達成される無限数の「オン」状態を含む。別の実施形態では、ディスペンサ２３０は、常に「オン」又は作動状態にあり、電源スイッチ３６０は２つ以上の作動設定のバリエーションを提供する。本実施形態では、電源スイッチ３６０は、オフ位置、第１の作動位置、第２の作動位置、及び第３作動位置の間で移動可能なスライドスイッチである（図２７参照）。
【００７２】
電源スイッチ３６０がオフ位置に移動すると、電力は、電源からプリント回路基板３７６上の構成要素に流れることができない。さらに、蓋２４０が開いた構成（図２５参照）にあるとき、トグルスイッチ２９８は、「オフ」位置にあり、したがって、電力はヒータ素子３１０に供給されない。このように、電源スイッチ３６０又はトグルスイッチ２９８のいずれかが「オフ」位置にある場合、いかなるＬＥＤも光を発しない。トグルスイッチ２９８及び電源スイッチ３６０の両方が「オン」位置及び作動位置の１つにそれぞれ移動すると、電力は、電源から正極３７２を通ってプリント回路基板３７６に流れる。特定の実施形態では、電力を供給することでＬＥＤ３５０が光を放出するようにし、これは、緑色光、又は任意の他の色を有する光であってもよい。特定の実施形態では、正極３７２からヒータ素子３１０への電力の流れは、ディスペンサ３０に関して上述したようなトランジスタによって制御される。
【００７３】
さらに図２８を参照すると、振動を検出するように構成された選択的振動センサ３８６が示されている。いくつかの実施形態では、振動センサ３８６は、ディスペンサ２３０が配置された車両が実際にオンにされて作動中であるかに関する情報をマイクロコントローラ３８２に提供するように動作することができる。このような振動を検出することによって、振動センサ３８６は、振動情報をマイクロコントローラ２８２に提供し、マイクロコントローラ３８２は、電力がディスペンサ２３０の電子構成要素に送られることを防止することができる。従って、電力が依然として正極３７０に供給されるかに関係なく、車両がオフ状態にあるとき、ディスペンサ２３０はオフになり得る。いくつかの実施形態では、タイマ（図示せず）は、マイクロコントローラ３８２と結合して、振動センサ３８６は車両が「オン」になったことを表示する振動情報を受信しなくなった後、指定された時間の間マイクロコントローラ３８２は電子構成要素を遮断することを可能にする。この機能は、イグニッションスイッチがオフのときに電源が「オン」のままであるコンセントを備えた車両の車両バッテリの寿命を保持する。振動センサ３８６は、加速度計、ジャイロスコープ、又は他の加速度検出の構成要素を含んでもよい。
【００７４】
図２３を再び参照すると、ヒータ素子３１０は、カートリッジ２７６が装着された場所に隣接して、レセプタクル３１４内に配置される。ディスペンサ３０について同様に上述したように、ヒータ素子３１０を含むプリント回路基板３７６の部分は、下部２３６及びハウジング２３２のプラグ部２３８内に設けられる。好ましくは、ヒータ素子３１０（及び／又は基板３１２）は、カートリッジ２７６のリザーバ３２６の底壁３３２の完全に下に設けられる。特定の一実施形態では、底壁３３２の表面積は、ヒータ素子３１０（又は基板３１２の複合表面積よりも大きく、効果的な熱伝達を提供するためにヒータ素子３１０が存在する境界を規定する。即ち、ヒータ素子３１０（又は基板３１２）は、カートリッジ２７６の下にある底壁３３２の周囲を越えて延びない。別の実施形態では、ヒータ素子３１０（又は基板３１２）は、底壁３３２の周囲を越えて延び、及び／又は側壁３３０に隣接するヒータ素子を含む。いくつかの実施形態では、カートリッジ２７６は、ヒータ素子３１０によってそこに伝達される熱によって何らかの方式で変形される。特定の実施形態では、ヒータ素子３１０の様々な加熱プロファイルは、ディスペンサ３０に関して上述したような手段のいずれかによって調整されてもよい。
【００７５】
図３１を参照すると、ディスペンサ２３０で使用するためのヒータ素子３１０ａの一態様が示されている。この例示では、基板３１２は、例えばそれが配置されるディスペンサ２３０の領域に一致するように、又はレセプタクル底３２４の形状に一致するように、基板３１２は任意の形状とすることができるが、上から見たときに、一般に長さＫ及び幅Ｗを有する四角形である。上述したように、基板３１２は平坦であってもよく、曲率又は他の変化を有し得ることが理解されよう。
【００７６】
抵抗性ワイヤ４２０は、基板３１２全体にわたって広がり、一般に均一な加熱を提供するパターンとして基板３１２に配置されるか、又は内蔵される。例えば、ワイヤ４２０は、蛇行状、ジグザグ状、又はワイヤ４２０が基板３１２を横切って方向を変える他の配置を有することができる。図３１の特定の例では、ワイヤ４２０は、基板３１２の幅Ｗに沿ってほぼ中間の位置で基板３１２に進入、又は結合する。次に、ワイヤ４２０は、方向を反転する前に基板３１２の長さＫを横切ってほぼ中間の位置まで基板３１２の長さＫに平行な方向に進み、基板３１２の縁４２２に向かって再び進んだ後、再び方向を反転する。ワイヤ４２０は、基板３１２の実質的に全長を横切って延びる上部端４２４に近接して配置されるまで、この交互パターンを継続する。この例示では、ワイヤ４２０は、基板３１２の長さＫを横切るほぼ半分の内向きの部分４２６を含むが、他の変形例はこの部分４２６を含まなくてもよい。ワイヤ４２０が基板３１２に最初に進入、又は結合する場所に対向する縁４２８に到達すると、ワイヤ４２０は再び方向を反転して基板３１２の幅Ｗの下方へ蛇行ターンを再び継続してもよい。ワイヤ４２０は、ヒータ素子３１０がその幅を２等分する線の周りで実質的に対称であり得るように、基板３１２周りの交互経路に続いて継続してもよい。
【００７７】
図３１に示すように、ワイヤ４２０は、その長さに沿って実質的に一定の幅を有する。ワイヤ４２０の部分間の間隔はまた、基板全体にわたって実質的に一定であり、例えば、ワイヤ４２０の幅にほぼ同一である。その結果、ヒータ素子３１０は、その表面に沿って実質的に均一な加熱を伝達することができる。また他の態様では、ワイヤ４２０の部分は、より近く又は遠くに離間して配置されてもよく、それにより、多かれ少なかれ強い加熱の局部的な領域をそれぞれ生成する。上述したように、図３１に示すレイアウトは、例示的なものに過ぎず、基板３１２上又は基板３１２内のワイヤ４２０の正確なレイアウトは、変更されてもよい。図３１Ａに示すように、サーミスタ４４０は、基板３１２及びワイヤ４２０と一体であってもよい。サーミスタ４４０は、ヒータ素子３１０ａの温度を表示するフィードバックをコントローラ３８２に提供するように動作可能にしてもよい。
【００７８】
ここで図３２を参照すると、本開示の様態に係る揮発性ディスペンサに使用するためのヒータアセンブリの電気アセンブリ５００を示す概略図が示されている。電気アセンブリ５００は、電力段５０２、コントローラ段５０４、及びヒータ素子５０６を含む。具体的には、電力段５０２は、入力接触部５０８を介して自動車ライターソケット又は他の供給源などの電源から電力を受け取り、電気アセンブリ５００の様々な電気構成要素を作動させるために受け取った電力を管理するように構成され、ヒータ素子５０６に電力を供給することを含む。図３２に示すように、電力段５０２は、例えば、「オン」及び「オフ」位置を有するトグルスイッチ５１０及び電圧調整器を含んでもよい。電力段５０２はまた、コンデンサ、抵抗器、インダクタ、ダイオードなどを含む多くの他の電気構成要素を含んでもよい。また、図３２に示すように、電力段５０２は、電気的又は熱的スパイク、過渡現象（ｔｒａｎｓｉｅｎｔｓ）、又は、過負荷の場合に電気アセンブリ５００の回路構成要素を保護するために、電気ヒューズ及び熱ヒューズなどの複数のヒューズ５１４を含んでもよい。
【００７９】
さらに図３２参照すると、制御段階５０４は、ヒータ素子５０６及び他の電気構成要素の作動を制御するようにプログラムされたマイクロコントローラユニット（ＭＣＵ）５１６を含む。さらに、制御段階５０４はまた、作動モードを選択するための電源スイッチ５１８を含む。具体的には、電源スイッチ５１８は、ヒータ素子５０６のための目標温度を表示するように、マイクロコントローラユニットに対する入力を活性化する。一例として、電源スイッチ５１８は、「オフ」位置、並びに「低」、「中」、及び「高」位置などの複数の「オン」位置を含んでもよい。電源スイッチ５１８の位置は、図３２に示すように、制御段階５０４回路に含まれるＬＥＤ５２０によって表示されてもよい。
【００８０】
トグルスイッチ５１０及び電源スイッチ５１８が「オン」位置に作動されると、マイクロコントローラユニット５１６は、活性化回路５２２及び電力段５０２によって供給された電源を使用して、電流をヒータ素子５０６に流すことができる。電源スイッチ５１８の設定に関連する目標温度に到達すると、マイクロコントローラユニット５１６は、図３２に示すように、ヒータ素子５０６上又はヒータ素子５０６内に近接して配置されたサーミスタ５２４によって提供された信号を使用してヒータ素子５０６の温度を連続的に監視しながらヒータ素子５０６に供給された電流を遮断してもよい。温度が所定の値まで低下すると、マイクロコントローラユニット５１６は、再び電流を復元してもよい。いくつかの態様では、ＰＷＭアルゴリズムは、ヒータ素子５０６が迅速に加熱し、より速い芳香又は揮発性物質の放出を可能にするよう使用されてもよい。
【００８１】
いくつかの実施形態では、マイクロコントローラユニット５１６は、電源スイッチ５１８が偶然に中間位置、即ち上述したような、許容設定間の位置に移動すると、予期しない動作を避けるためにプログラムされ、電気アセンブリ５００、又はその一部分は、使用不可能であってもよい。
【００８２】
図３２に示すように、制御段階５０４は、電気アセンブリ５００の振動を検出し、他の電気構成要素だけでなくヒータ素子５０６の作動に影響を与えるように構成された選択的振動センサ５２６を含んでもよい。一例では、振動センサ５２６は、エンジンの振動を検出することによって車両が作動中であるか否かを表示してもよい。別の例では、振動センサ５２６は、揮発性ディスペンサの動きを検出してもよい。いくつかの実施形態では、振動センサ５２６は、加速度計、ジャイロスコープ、又は構成要素を検出するまた他の加速度計を含んでもよい。振動を検出したとき、又は検出できない場合、振動センサ５２６は、例えば、マイクロコントローラユニット５１６によって検出可能な電流経路を開放又は閉鎖してもよい。次に、マイクロコントローラユニット５１６は、ヒータ素子５０６に電力が供給されることを可能にする、又は防止することができる。例えば、マイクロコントローラユニット５１６は、車両がオフのとき、ヒータ素子５０６の電源を遮断し得る。
【００８３】
いくつかの実施形態では、タイマをマイクロコントローラユニット５１６に結合することができ、これは、振動センサ５２６が振動情報を受信するのを停止した後、マイクロコントローラユニット５１６が所定の時間の間、特定の電気構成要素を遮断することを可能にする。この機能は、イグニッションスイッチが無効になっているときに、電力を供給する電源コンセントを有する車両の電池の寿命を保持するのに役立つ。ヒータ素子５０６に供給される電力を管理及び制御する電力段５０２及びコントローラ段５０４についての特定の実施形態が図３２に示されているが、任意の数の変更及び変化は、上述の機能だけでなく他の機能を提供することも可能である。さらに、ヒータ素子５０６は、単一抵抗性ワイヤを含むように示されているが、本開示による２つ以上の抵抗性ワイヤのような任意の変化も可能であることは容易に理解されよう。図３２に示す概略図と関連して上述した任意の構成要素は、図１４，図１５、及び図２８〜図３１Ａに示すヒータアセンブリと関連して上述した構成要素と同一であってもよく、交換されてもよい。
【００８４】
本明細書に記載された実施形態のいずれも、異なる実施形態に関連して開示された構造又は方法のいずれかを含むように変更されてもよい。上述したような任意の構成要素は、スクリュ、リベット、ボルト、接着剤、超音波溶接、又は任意の他の締結具のような当業者に周知の任意の固定機構によって任意の他の構成要素と結合されてもよい。さらに、本開示は、自動車用の空気清浄機に限定されず、揮発性物質を雰囲気中に放出する任意の装置に適用してもよい。本明細書に記載されたカートリッジは、任意の数の異なる形状を有してもよく、当業者に周知の任意の揮発性物質で充填されてもよい。さらに、上述したカートリッジを含み、任意の類型のコンテナは、ボトル、吸い上げ芯（ｗｉｃｋ）を有するボトル、キャニスタ（ｃａｎｉｓｔｅｒ）、詰め替え具（ｒｅｆｉｌｌ）、又は当業者に周知の揮発性物質を保持するための任意の容器を含み、上記の実施形態と共に使用されてもよい。ディスペンサはまた、コード、ＵＳＢ、ミニＵＳＢなどのような任意の数の代替電源を介して電力が供給されてもよい。
【産業上の利用可能性】
【００８５】
揮発性物質の放出を調整するために、様々な状態間で制御可能なディスペンサが提示される。
【００８６】
上述した説明を考慮して、本発明に対する数多くの変更は、当業者に明らかであろう。従って、この説明は、単に例示にすぎないと解釈されるべきであり、当業者が本発明を実行し使用することを可能にし、同一のことを実施する最良のモードを教示するために提示される。添付の特許請求の範囲に含まれる全ての変更に対する排他的権利は留保される。
【図１】
2019509802.tif 000003
【図２】
2019509802.tif 000004
【図３Ａ】
2019509802.tif 000005
【図３Ｂ】
2019509802.tif 000006
【図４】
2019509802.tif 000007
【図５】
2019509802.tif 000008
【図６Ａ】
2019509802.tif 000009
【図６Ｂ】
2019509802.tif 000010
【図７】
2019509802.tif 000011
【図８】
2019509802.tif 000012
【図９Ａ】
2019509802.tif 000013
【図９Ｂ】
2019509802.tif 000014
【図１０Ａ】
2019509802.tif 000015
【図１０Ｂ】
2019509802.tif 000016
【図１１】
2019509802.tif 000017
【図１２】
2019509802.tif 000018
【図１３】
2019509802.tif 000019
【図１４】
2019509802.tif 000020
【図１５】
2019509802.tif 000021
【図１６】
2019509802.tif 000022
【図１７】
2019509802.tif 000023
【図１８】
2019509802.tif 000024
【図１９】
2019509802.tif 000025
【図２０】
2019509802.tif 000026
【図２０Ａ】
2019509802.tif 000027
【図２１】
2019509802.tif 000028
【図２２】
2019509802.tif 000029
【図２２Ａ】
2019509802.tif 000030
【図２２Ｂ】
2019509802.tif 000031
【図２３】
2019509802.tif 000032
【図２４】
2019509802.tif 000033
【図２４Ａ】
2019509802.tif 000034
【図２５】
2019509802.tif 000035
【図２６】
2019509802.tif 000036
【図２７】
2019509802.tif 000037
【図２８】
2019509802.tif 000038
【図２９】
2019509802.tif 000039
【図３０】
2019509802.tif 000040
【図３１】
2019509802.tif 000041
【図３１Ａ】
2019509802.tif 000042
【図３２】
2019509802.tif 000043
【国際調査報告】
2019509802.tif 000044
2019509802.tif 000045
2019509802.tif 000046